(57)【要約】【課題】  カップ部上辺の浮きを防いでバストにフィットさせ、かつ、効果的に、きれいなシルエットでバストをボリュームアップすることができる、カップ部を有する衣類を提供する。【解決手段】  本発明のカップ部を有する衣類は、一対のカップ部１０１、カップ支持部１０２、バック部１０３および肩ストラップ１０４を含み、カップ支持部１０２は、一対のカップ部１０１の下縁に取り付けられ、バック部１０３は、カップ支持部１０２の脇側に取り付けられ、肩ストラップ１０４は、一対のカップ部１０１の上部に取り付けられ、さらに、一対のパッド１０５を含み、パッド１０５は、一対のカップ部１０１の肌側に配置され、パッド１０５は、一対のカップ部１０１から分離しており、パッド１０５の下縁部は、少なくともカップ支持部１０２の前中心側に連結され、パッド１０５の脇側上部は、肩ストラップ１０４に連結されていることを特徴とする。【選択図】  図１
2014009417.tif 000002
【特許請求の範囲】
【請求項１】
カップ部を有する衣類であって、
一対のカップ部、カップ支持部、バック部および肩ストラップを含み、
前記カップ支持部は、前記一対のカップ部の下縁に取り付けられ、
前記バック部は、前記カップ支持部の脇側に取り付けられ、
前記肩ストラップは、前記一対のカップ部の上部に取り付けられ、
さらに、一対のパッドを含み、
前記パッドは、前記一対のカップ部の肌側に配置され、
前記パッドは、前記一対のカップ部から分離しており、
前記パッドの下縁部は、少なくとも前記カップ支持部の前中心側に連結され、
前記パッドの脇側上部は、前記肩ストラップに連結されていることを特徴とする、
カップ部を有する衣類。
【請求項２】
前記パッドの下縁部が、バージスラインの最下点に該当する位置を含んで前記カップ支持部に連結されていることを特徴とする、請求項１記載のカップ部を有する衣類。
【請求項３】
前記パッドが、介在部材を介して前記カップ支持部に連結されていることを特徴とする、請求項１または２記載のカップ部を有する衣類。
【請求項４】
前記介在部材が、伸縮性を有する素材であることを特徴とする、請求項３記載のカップ部を有する衣類。
【請求項５】
前記パッドの前中心側下部が、前記パッドの他の部分よりも厚みを有することを特徴とする、請求項１から４のいずれか一項に記載のカップ部を有する衣類。
【請求項６】
前記衣類が、ブラジャーである、請求項１から５のいずれか一項に記載のカップ部を有する衣類。
【発明の詳細な説明】
【技術分野】
【０００１】
本発明は、カップ部を有する衣類に関する。
【背景技術】
【０００２】
従来、カップ部を有する衣類、例えば、ブラジャーでは、バストの位置を上方に持ち上げ、バストを豊かに盛り上げるために、カップ部内にパッドを挿入したブラジャーが多く用いられている。前記ブラジャーとして、例えば、カップの裏面に下部から外側部に亘って伸縮し難いリフトアップ片を重ね、該リフトアップ片にパッドを一体に設け、前記リフトアップ片の上端をストラップに固定し、前記リフトアップ片の下側外周を前記カップの周縁に固定し、前記リフトアップ片とカップ裏面との間に、前記リフトアップ片の上側外周で開口するパッド収納ポケットを形成する技術が提案されている（特許文献１参照）。
【先行技術文献】
【特許文献】
【０００３】
【特許文献１】特開２００８−５０７３５号公報
【発明の概要】
【発明が解決しようとする課題】
【０００４】
しかし、前記技術では、パッドが、着用時にバストに押され、パッドの厚みの分だけカップ部を押し出したり、押し下げたりしていた。その結果、カップ部上辺がバストから浮き、カップ部上辺とバストとの間にすきまができていた。カップ部上辺が浮くと、着用時のシルエットが悪くなり、また、特にバストが小さい人の場合、例えば、屈んだ時にカップ部の上方からバストが見えてしまうという問題がある。また、前記技術では、パッドの目的はバストを押し上げることであるにもかかわらず、パッドの力がカップ部にも及んでいることから、パッドがバストを押し上げる効果が弱まっていた。
【０００５】
また、前記技術では、カップ部及びパッドを前からバストに押しつけるようにしてバストを盛り上げていたが、この方法では、バストが小さい人の場合、バストのボリュームが少ないため、バストを効果的に盛り上げることができなかった。さらに、前記技術のようにカップ部及びパッドを前から押しつける方法では、バストが丸く突出したきれいなシルエットにならなかった。
【０００６】
そこで、本発明は、カップ部上辺の浮きを防いでバストにフィットさせ、かつ、効果的に、きれいなシルエットでバストをボリュームアップすることができる、カップ部を有する衣類を提供することを目的とする。
【課題を解決するための手段】
【０００７】
前記目的を達成するために、本発明のカップ部を有する衣類は、
カップ部を有する衣類であって、
一対のカップ部、カップ支持部、バック部および肩ストラップを含み、
前記カップ支持部は、前記一対のカップ部の下縁に取り付けられ、
前記バック部は、前記カップ支持部の脇側に取り付けられ、
前記肩ストラップは、前記一対のカップ部の上部に取り付けられ、
さらに、一対のパッドを含み、
前記パッドは、前記一対のカップ部の肌側に配置され、
前記パッドは、前記一対のカップ部から分離しており、
前記パッドの下縁部は、少なくとも前記カップ支持部の前中心側に連結され、
前記パッドの脇側上部は、前記肩ストラップに連結されていることを特徴とする。
【発明の効果】
【０００８】
本発明のカップ部を有する衣類によれば、カップ部上辺の浮きを防いでバストにフィットさせ、かつ、効果的に、きれいなシルエットでバストをボリュームアップすることができる。
【図面の簡単な説明】
【０００９】
【図１】図１は、本発明の第１の実施形態に係るブラジャー１００を示す斜視図である。
【図２】図２は、前記第１の実施形態に係るブラジャー１００のカップ部付近を背面側から見た図である。
【図３】図３は、本発明の第２の実施形態に係るブラジャー２００のカップ部付近を背面側から見た図である。
【図４】図４は、本発明の第３の実施形態に係るブラジャー３００のカップ部付近を背面側から見た図である。
【図５】図５は、本発明の第４の実施形態に係るブラジャー４００のカップ部付近を背面側から見た図である。
【図６】図６（ａ）は、本発明の第５の実施形態に係るブラジャー５００のカップ部付近を背面側から見た図である。図６（ｂ）は、前記第５の実施形態に係るブラジャー５００の変形例を示す図である。
【図７】図７（ａ）（ｂ）（ｃ）は、着用評価におけるバストの形状を示す図である。
【図８】図８（ａ）（ｂ）は、本発明のカップ部を有する衣類のその他の例である、ブラキャミソールを示す斜視図である。
【図９】図９は、従来のパッド付きブラジャーと、前記第１の本実施形態に係るブラジャー１００とで、パッドの力の働き方を比較する図である。
【発明を実施するための形態】
【００１０】
本発明のカップ部を有する衣類について、例をあげて説明する。ただし、本発明は、以下の例に限定および制限されない。
【００１１】
（第１の実施形態）
図１および図２に、本発明のカップ部を有する衣類の第１の実施形態に係るブラジャー１００を示す。図１は、ブラジャー１００の斜視図であり、図２は、バック部１０３を開いた状態の、ブラジャー１００のカップ部付近の背面図である。
【００１２】
本実施形態のブラジャー１００は、一対のカップ部１０１、一対のカップ支持部１０２、一対のバック部１０３および一対の肩ストラップ１０４を備えた、いわゆる３／４カップタイプのブラジャーである。カップ支持部１０２は、一対のカップ部１０１の下縁に取り付けられ、バック部１０３は、カップ支持部１０２の脇側に取り付けられ、肩ストラップ１０４は、一対のカップ部１０１の上部に取り付けられている。本実施形態において、カップ部支持部１０２には、ワイヤー（図示せず）が設けられている。また、本実施形態において、カップ支持部１０２の下縁には、土台部１１０が設けられている。そして、本実施形態のブラジャー１００は、さらに、一対のカップ部１０１の肌側に、一対のパッド１０５が配置されている。
【００１３】
本実施形態において、パッド１０５は、一対のカップ部１０１から分離している。そして、パッド１０５の下縁部は、少なくともカップ支持部１０２の前中心側に連結されており、パッド１０５の脇側上部は、肩ストラップ１０４に連結されている。このように、本発明では、パッド１０５を、従来のようにカップ部１０１に挿入するのではなく、カップ部１０１から分離させ、肩ストラップ１０４とカップ支持部１０２とで斜めに吊り上げるようにして配置している。
【００１４】
本実施形態のブラジャー１００を着用した際の、パッド１０５のバストに対する作用の仕方について説明する。本実施形態では、前述のとおり、パッド１０５がカップ部１０１から分離しており、かつ、カップ支持部１０２の前中心側と肩ストラップ１０４とに連結されているため、着用すると、肩ストラップ１０４の引き上げ力によって、パッド１０５が脇側上方に引き上げられる（図２における白抜き矢印の方向）。そして、この肩ストラップ１０４の引き上げ力により、パッド１０５がバストに密着し、かつ、パッド１０５がバストを脇側下方から前中心側上方に向かって（図１及び図２における黒矢印で示す方向）すくい上げるようにして、バストを押し上げる。従来のブラジャーでは、パッドはカップ部に挿入されていたため、パッドがバストに密着することはなく、パッドによって直接バストを持ち上げることはできなかった。これに対し、本発明では、前述のとおりパッド１０５はカップ部１０１から分離している。そのため、本発明では、パッド１０５は、バストに合わせて動くことが可能であり、バストに密着して効果的に持ち上げる力を及ぼすことができる。
【００１５】
本発明において、パッドの下縁部は、前述のとおり、少なくともカップ支持部の前中心側に連結されていればよい。ここで、「前中心側」とは、特に制限されず、着用時に、肩ストラップの引き上げ力によって、パッドがバストを脇側下方から前中心側上方に向かって押し上げることができる位置であればよい。例えば、本発明において、「前中心側」とは、カップ支持部における、バージスラインの最下点に該当する位置近傍よりも体の中心側の領域をいう。具体的には、例えば、カップ支持部のバージスラインの最下点に該当する位置から０ｃｍ〜５ｃｍの範囲が好ましく、より好ましくは、０ｃｍ〜３ｃｍの範囲である。ただし、バージスラインの最下点に該当する位置を含まなくても良い。
【００１６】
図９に、従来のパッド付きブラジャーと、本実施形態に係るブラジャー１００とで、パッドの力の働き方を比較する図を示す。まず、図９（ａ）は、従来のパッド付きブラジャーの着用時に、バスト及びブラジャーを横方向から見た断面図である。図９（ａ）のブラジャーは、従来一般的に用いられている、パッド１０５Ａがカップ部１０１Ａ肌側のポケットＰに挿入されている態様のブラジャーである。図９（ａ）に示すように、従来のパッド付きブラジャーでは、パッド１０５Ａは、バストＶを押し上げる（図９（ａ）における白抜き矢印の方向）と同時に、バストＶに押されることによってカップ部を弾いてしまい（図９（ａ）における黒矢印の方向）、カップ部を押し出したり押し下げたりしていた。そのため、カップ部１０１Ａを肩ストラップ１０４Ａで引き上げても、カップ部１０１Ａ上辺がバストＶにフィットせず、カップ部１０１Ａ上辺とバストＶとの間にすきまＱが生じていた。また、パッド１０５Ａの力がカップ部１０１Ａに対しても及ぶため、バストＶを押し上げる力が弱まっていた。
【００１７】
これに対し、図９（ｂ）に、本実施形態に係るブラジャー１００の着用時に、バスト及びブラジャーを横方向から見た断面図を示す。図９（ｂ）に示すように、着用時において、パッド１０５は、肩ストラップ１０４の引き上げ力によってバストＶに密着する。そして、バストＶに密着したパッド１０５が、肩ストラップ１０４の引き上げ力によりバストＶを持ち上げる（図９（ｂ）中の白抜き矢印の方向）。このように、本発明では、パッド１０５がカップ部１０１から分離しているため、パッド１０５はバストにフィットするように動くことが可能であり、肩ストラップの引き上げ力によって、パッド１０５がバストに密着し、効果的にバストＶを持ち上げることができる。また、本発明では、パッド１０５はカップ部１０１から分離しているため、パッド１０５の力がカップ部１０１には及ばず、パッド１０５がカップ部１０１を押し出したり押し下げたりすることがない。これにより、本発明によれば、カップ部１０１上辺とバストＶとの間にすきまが生じるのを防ぐことができる。
【００１８】
本発明によれば、前述のように、パッド１０５がバストに密着し、かつ、バストを脇側下方から前中心側上方に向かってすくい上げるようにして、バストを押し上げることができる。したがって、従来のようにパッドを前からバストに押しつけるようにしてバストをボリュームアップさせる場合と異なり、丸く突出した、きれいなバストシルエットを実現することができる。また、従来のようにパッドを前からバストに押しつける方法では、バストが小さい人の場合、バストのボリュームが少ないため、バストを効果的に盛り上げることができなかったが、本発明によれば、前述のようにバストをすくい上げるようにして押し上げるため、バストが小さい人であっても、バストを効果的に盛り上げることができる。さらに、本発明によれば、大きなパッドを用いてバストを押さえつけることなく、バストをボリュームアップさせることができるため、着け心地が軽い。
【００１９】
図１及び図２に示すように、本実施形態において、パッド１０５の下縁部は、カップ支持部１０２の前中心側端部近傍からバージスラインの最下点に該当する位置Ｔにかけて（図中にＳで示す領域）、カップ支持部１０２に連結されている。このように、パッド１０５の下縁部が、バージスラインの最下点に該当する位置Ｔを含んでカップ支持部１０２に連結されていると、パッド１０５の位置が安定するため、好ましい。しかし、前述のように、本発明において、パッドの下縁部は、少なくともカップ支持部の前中心側に連結されていればよい。
【００２０】
また、本実施形態では、パッド１０５の下縁部とカップ支持部１０２とが、カップ支持部１０２の前中心側端部近傍からバージスラインの最下点に該当する位置Ｔにかけての領域Ｓ全てで連結されているが、本発明はこれに限られず、前記領域Ｓ内で一定の間隔を空けて連結されていてもよい。また、本発明において、パッドとカップ支持部との連結箇所の脇側端点は、カップ支持部のバージスラインの最下点に該当する位置よりも少し脇側であってもよい。
【００２１】
本実施形態において、パッド１０５の下縁部の脇側は、カップ支持部１０２に連結されていない。このように、パッド１０５の下縁部の脇側がカップ支持部１０２に連結されていないことによって、パッド１０５は、カップ部１０１に制限されることなく、肩ストラップ１０４の引き上げ力によって自在に動くことができるため、好ましい。ただし、本発明はこれに限られず、パッドのバストを押し上げる動きを制限しない範囲で、パッドの下縁部の脇側は、カップ支持部に連結されていてもよい。例えば、パッドの動きを制限しないように、たるみを持たせた介在布等によって、パッド下縁部の脇側をカップ支持部に連結してもよい。
【００２２】
本実施形態において、パッド１０５の脇側上部は、カップ部１０１と肩ストラップ１０４との連結部と同じ位置で、肩ストラップ１０４に連結されている。ただし、本発明はこれに限られず、後述のとおり、カップ部と肩ストラップとの連結部と、パッドと肩ストラップとの連結部は、位置が異なっていてもよい。
【００２３】
本実施形態において、パッド１０５は、前中心側下部Ｗが、他の部分よりも厚みを有している。これにより、前中心側においてバストを押し上げる力が大きくなるため、バストをボリュームアップさせる効果がより高くなり、好ましい。特に、パッド１０５をこのように設計することにより、バストが小さい人でも、自分の胸で谷間を作りやすくなる。ただし、本発明において、パッドの厚みの設計は、特に制限されない。本発明では、パッドの厚みを適宜設計することによって、バストサイズ及び実現したいバストの形状に応じて、最も適したバストの押し上げを可能にする。
【００２４】
本発明において、パッドに使用する素材は、特に制限されず、例えば、不織布、ダブルラッセル、ウレタン等、公知のものを使用することができる。また、本発明において、パッドは、成型タイプであっても、カットソータイプであってもよい。
【００２５】
本発明において、パッドは、直接バストに接して持ち上げることが可能となるように、最も肌側に設けられていることが好ましい。ただし、パッドの動きを阻害しない態様であれば、パッドの肌側に布等が設けられていてもよい。
【００２６】
本実施形態のブラジャーでは、バック部１０３の連結係止部として、ホック（例えば、フック・アンド・アイ（鈎ホック））を使用することができるが、他の種類の係止具を使用してもよい。また、バック部１０３が連結係止部を有していなくてもよい。例えば、連結係止部を前中心に設けてフロントホックタイプとしてもよい。また、連結係止部がないタイプ、バック部を結んで係止するタイプであってもよい。
【００２７】
前記連結係止部としては、ホック（例えば、フック・アンド・アイ（鈎ホック））、グリッパー、ボタン、紐、面ファスナーなどを、デザインや用途に応じて適宜選択して使用することができる。なお、上記のフック・アンド・アイやグリッパー、ボタンを用いる場合には、複数の留め位置を予め設けておくことにより、締め付け具合を微調整できるようにしておくことも好ましい。なお、上記以外の他の種類の係止具を使用してもよい。
【００２８】
本実施形態においては、肩ストラップ１０４の一端はカップ部１０１に取り付けられ、他端はバック部１０３の上辺部に取り付けられた円環、Ｚ環、エイト環などの係止具１０８Ａを通って反転し、エイト環からなる長さ調節具１０８Ｂに導入されることによって、肩ストラップ１０４の長さ調整が可能な状態で、肩ストラップ１０４の他端側が、バック部１０３の上辺部に取り付けられている。また、肩ストラップ１０４の一端は、バック部１０３の上辺部に直接固着されても良い。肩ストラップ１０４の態様はこれに限定されず、例えば、前記一対のカップ部１０１の上部同士を互いに繋ぐように取り付けられている、いわゆる「ホルターネック」タイプであってもよい。肩ストラップ１０４の取り付け位置は、カップ部１０１の形状やブラジャーのデザインによって決定することができる。肩ストラップ１０４は、カップ部１０１を肩から吊り下げるものであればよい。紐や布テープであってもよいし、タンクトップのような幅の広い、いわゆるラウンドタイプのストラップであってもよい。肩ストラップ１０４の態様は、一対のカップ部１０１に対応して一対の肩ストラップ１０４をそれぞれカップ部１０１上部とバック部１０３に取り付ける態様に限定されず、例えば、スポーツタイプのブラジャーの肩ストラップのように、背中側で２本の肩ストラップ１０４が一体となりバック部１０３に取り付けられる態様であってもよい。
【００２９】
なお、本実施形態では、ブラジャー１００は、土台部１１０を介して、左右のカップ支持部１０２が連結されるとともに、カップ支持部１０２とバック部１０３とが連結されている例を挙げて説明した。しかし、本発明は、これに限定されるものではない。例えば、土台部１１０を備えない、いわゆるメガネタイプのブラジャーとしてもよい。より具体的には、バック部１０３がカップ支持部１０２に直接連結されるように前方へ延び、左右のカップ支持部１０２の前中心側部分同士を連結する連結部材を別途備える態様とすることができる。また、本実施形態では、ブラジャー１００は、カップ支持部１０２にワイヤーを有しているが、本発明は、カップ支持部にワイヤーを有しないノンワイヤータイプの衣類にも適用できる。
【００３０】
以上、第１の実施形態としては、３／４カップのブラジャーを例示して説明したが、本発明は、フルカップや１／２カップのブラジャー等にも適用することができる。ただし、１／２カップのブラジャーの場合、肩ストラップの引き上げ力が弱いため、３／４カップ、フルカップのブラジャーがより好ましい。また、本発明において、カップ部のデザインは、特に制限されず、例えば、上カップ部と下カップ部を接ぎ合わせて形成されたものでも良いし、接ぎ目のないモールドタイプのものであってもよい。さらに、本発明は、カップ部からカップ支持部まで一体で成型されている態様であってもよく、その場合、パッドは、カップ支持部に該当する位置に連結される。また、本発明では、パッドをカップ部に挿入しないため、例えば、レース素材でできた繊細な構造のブラジャーにも、好適に適用できる。
【００３１】
（第２の実施形態）
図３に、本発明のカップ部を有する衣類の第２の実施形態に係るブラジャー２００を示す。図３は、バック部１０３を開いた状態の、ブラジャー２００のカップ部付近の背面図である。図３において、図１および図２と同一の部分には同一の符号を付している。
【００３２】
本実施形態において、パッド２０５は、介在部材２０６を介してカップ支持部１０２に連結されている。本実施形態のその他の態様は、前記第１の実施形態と同様である。
【００３３】
本実施形態において、介在部材２０６に使用できる素材は、例えば、トリコット、天竺等があげられる。本実施形態において、介在部材２０６は、伸縮性を有する素材であることが好ましい。前記伸縮性を有する素材としては、例えば、パワーネット、ツーウェイトリコット、ベア天竺、マーキゼット等があげられる。パッド２０５が、伸縮性を有する介在部材２０６を介してカップ支持部１０２に連結されることにより、肩ストラップ１０４の引き上げ力によるパッド２０５の動きがさらに良くなるため、バストを押し上げる効果が高くなり、好ましい。
【００３４】
（第３の実施形態）
図４に、本発明のカップ部を有する衣類の第３の実施形態に係るブラジャー３００を示す。図４は、バック部１０３を開いた状態の、ブラジャー３００のカップ部付近の背面図である。
【００３５】
本実施形態において、パッド３０５は、カップ支持部の前中心側の領域に、部分的に配置された介在部材３０６を介してカップ支持部１０２に連結されている。本実施形態において、介在部材３０６に使用できる素材は、前記第２の実施形態で挙げたものの他、ストレッチテープ、パイピングテープ、細幅の編物、織物等が挙げられる。本実施形態のその他の態様は、前記第２の実施形態と同様である。
【００３６】
このように、本発明において、パッドの下縁部は、カップ支持部の前中心側の領域に、部分的に複数配置された介在部材を介して、カップ支持部に連結されていてもよい。介在部材の態様は、実現したいパッドの動き、及びデザインに応じて、決定することができる。
【００３７】
（第４の実施形態）
図５に、本発明のカップ部を有する衣類の第４の実施形態に係るブラジャー４００を示す。図５は、バック部１０３を開いた状態の、ブラジャー４００のカップ部付近の背面図である。
【００３８】
本実施形態において、パッド４０５の脇側上部は、カップ部１０１と肩ストラップ１０４との連結部Ｘよりも下側の位置Ｙで、肩ストラップ１０４に連結されている。本実施形態のその他の態様は、前記第２の実施形態と同様である。
【００３９】
このように、本発明では、パッドと肩ストラップとの連結位置は、カップ部と肩ストラップとの連結位置よりも下側であってもよい。これにより、パッドの大きさをカップ部の大きさに合わせる必要がないため、様々な大きさのカップ部に、同一の設計のパッドを使用することができ、製造効率の観点から好ましい。
【００４０】
（第５の実施形態）
図６（ａ）に、本発明のカップ部を有する衣類の第５の実施形態に係るブラジャー５００を示す。図６（ａ）は、バック部１０３を開いた状態の、ブラジャー５００のカップ部付近の背面図である。
【００４１】
本実施形態において、パッド５０５の脇側上部は、肩ストラップ５０４とは別のテープ材５０４Ａに連結され、テープ材５０４Ａが、肩ストラップ５０４に連結されている。本実施形態のその他の態様は、前記第２の実施形態と同様である。このように、本発明において、パッドは、別部材を介して肩ストラップに連結されていてもよい。
【００４２】
また、図６（ｂ）に、前記ブラジャー５００の変形例を示す。図６（ｂ）に示すように、本発明は、カップ部１０１の上部及びパッド５０５の脇側上部に連結されたテープ材５０４Ｂに、例えば丸環等の連結部材Ｍを通し、連結部材Ｍを介してテープ材５０４Ｂと肩ストラップ５０４とが連結されている態様とすることもできる。
【００４３】
このように、本発明は、パッドに肩ストラップの引き上げ力を及ぼすことができればよいため、パッドと肩ストラップの連結の態様は、デザインに応じて様々に設計することができる。
【００４４】
（着用客観評価）
図３に示すタイプの本発明の実施形態２に係るブラジャー２００を作製し、着用評価を行った。前記ブラジャー２００は、図１及び図２に示す本発明の実施形態１に係るブラジャー１００と同様、パッド２０５の前中心側下部が、他の部分よりも厚みを有しているタイプとした。図７は、前記ブラジャー２００、並びに、従来品のブラジャーＡ及びブラジャーＢについて、それぞれ、バストサイズＡ７０の同一のモニターが着用し、挙手３回、上体ひねり６回及びジャンプ５回の運動をした後の状態で写真撮影し、モアレ干渉縞による立体的な造型性を等高線で示した結果の図である。前記ブラジャーＡは、カップ部下部が二重になっているタイプのブラジャー、前記ブラジャーＢは、カップ部とほぼ同じ大きさである大きなパッドを有するブラジャーであり、いずれもバストを盛り上げる効果を有するブラジャーとして用いられていたものである。図７において、（ａ）が本発明のブラジャー２００、（ｂ）が従来品のブラジャーＡ、（ｃ）が従来品のブラジャーＢでの結果であり、それぞれ、上段は正面から撮影した結果、中段は側方向から撮影した結果、下段は上方向から撮影した結果の図である。図７中段の２本の二点鎖線は、バストトップ位置及びブラジャーの付き位置の比較のために付加している。また、図７下段の二点鎖線は、バストの突出を比較するために付加している。
【００４５】
図７の上段について比較すると、本発明に係るブラジャー２００着用時の方が、従来品のブラジャーＡ及びＢ着用時と比べ、谷間がくっきりとできていることがわかる。また、カップ部上辺がバストから浮いていない場合は、バストトップから外側に向けてほぼ同心円状の等高線となり、カップ部上辺が浮いている場合には、バストトップ上方の等高線が直線状となって円にひずみが生じるところ、図７の上段において点線で囲んだ部分について比較すると、本発明に係るブラジャー２００着用時には、ほぼ同心円状の等高線となっているのに対し、従来品のブラジャーＡ及びＢ着用時には、直線状の等高線となっている。これにより、本発明に係るブラジャー２００着用時には、カップ部上辺が浮かずバストにフィットしていることがわかる。次に、図７の中段について比較すると、ブラジャー２００着用時の方が、ブラジャーＡ及びＢ着用時と比べ、ブラジャーの付き位置が高いことがわかる。また、ブラジャー２００着用時では、ブラジャーＡ及びＢ着用時と比べ、丸いシルエットになっていることがわかる。次に、図７の下段について比較すると、ブラジャー２００着用時の方が、ブラジャーＡ及びＢ着用時と比べ、バストが身体の前方向に突出していることがわかる。これにより、本発明に係るブラジャーは、バストサイズが小さい人であっても、カップ部上辺がバストから浮かず、効果的にバストをボリュームアップでき、かつ、丸く突出したきれいなシルエットを実現できることがわかった。
【００４６】
（着用主観評価）
図３に示すタイプの本発明の実施形態２に係るブラジャー２００を作製し、着用評価を行った。前記ブラジャー２００は、図１及び図２に示す本発明の実施形態１に係るブラジャー１００と同様、パッド２０５の前中心側下部が、他の部分よりも厚みを有しているタイプとした。モニターは、バストサイズがＡ７０の６名とした。また、比較例として、同じモニター６名に、前記ブラジャーＡ及びブラジャーＢを着用してもらった。
【００４７】
その結果、ブラジャーＡと比較した場合は６名中５名が、ブラジャーＢと比較した場合は６名中４名が、本発明に係るブラジャー２００の方が動いてもカップがバストにフィットしていると回答した。また、ブラジャーＡと比較した場合、及び、ブラジャーＢと比較した場合ともに、６名中４名が、本発明に係るブラジャー２００の方が好きであると回答した。また、本発明に係るブラジャー２００が好きである理由について、モニターにコメントを求めたところ、「自分の胸で谷間ができて寄せ感がある」、「カップの中全体の密着感がある」、「従来品よりも谷間ができて着崩れない」、「着け心地が軽い」、「すっきりしたシルエットでボリューム感もある」という回答が得られた。これにより、本発明にかかるブラジャーは、バストにフィットし、効果的にボリュームアップできるとともに、軽い着用感であることが確認できた。
【００４８】
（第６の実施形態）
図８（ａ）に、本発明のカップ部を有する衣類のその他の例として、ブラキャミソール６００の斜視図を示す。
【００４９】
このブラキャミソール６００のブラジャー相当部分は、図１で説明したブラジャー１００とほぼ同一の概念のもとに設計されている。本実施形態においては、ブラキャミソール６００が、土台部１１０の下側に、身頃６０１を有している。本実施形態では、身頃６０１が本発明におけるバック部を兼ねているが、バック部を別途設けてその下に身頃６０１を取りつけてもよい。その他の態様は図１に示したブラジャー１００と実質上同一であり、同一部分には同一の符号を付して、重複する説明を省略している。ここでは、第１の実施形態に係るブラジャー１００とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。
【００５０】
（第７の実施形態）
図８（ｂ）に、本発明のカップ部を有する衣類のその他の例として、ブラキャミソール７００の斜視図を示す。このブラキャミソール７００は、キャミソールの身頃内側にブラジャー相当部分が設けられており、前記ブラジャー相当部分は、図１で説明したブラジャー１００とほぼ同一の概念のもとに設計されている。本実施形態においては、ブラキャミソール７００は、ブラジャー相当部分を覆うように身頃７０１を有している。また、バック部１０３は連結係止部を有しておらず、連結係止部の操作をすることなく着脱ができる態様である。その他の態様は図１に示したブラジャー１００と実質上同一であり、同一部分には同一の符号を付して、重複する説明を省略している。ここでは、第１の実施形態に係るブラジャー１００とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。本実施形態の構成にすることにより、カップ部１０１のデザインにかかわらず、着用時の外観のバリエーションを多様にすることができる。また、カップ部１０１を、よりアウターにひびかなくすることもできる。
【００５１】
以上、実施の形態の具体例として、ブラジャー、およびブラキャミソールをあげて本発明を説明したが、本発明のカップ部を有する衣類は、これらの具体例で記載されたもののみに限定されるものではなく、種々の態様が可能である。例えば、上記の実施形態のようなファンデーション衣類以外にも、ボディスーツ、ブラスリップ、水着、レオタード、カップ付きタンクトップ、その他各種のカップ部を有する衣類に適用できる。また、前中心を係脱自在のホックで連結するフロントホックタイプの衣類にも適用できる。
【産業上の利用可能性】
【００５２】
本発明によれば、カップ部上辺の浮きを防いでバストにフィットさせ、かつ、効果的に、きれいなシルエットでバストをボリュームアップすることができる、カップ部を有する衣類を提供することができる。したがって、本発明は、体型を補整するための衣類において、有効に利用することができるが、その用途は限定されず、広い分野で使用することができる。
【符号の説明】
【００５３】
１００、２００、３００、４００、５００  ブラジャー（カップ部を有する衣類）
１０１、１０１Ａ  カップ部
１０２  カップ支持部
１０３  バック部
１０４、１０４Ａ、５０４  肩ストラップ
５０４Ａ、５０４Ｂ  テープ材
１０５、１０５Ａ、２０５、３０５、４０５、５０５  パッド
２０６、３０６    介在部材
１０８Ａ  （円環）係止具
１０８Ｂ  長さ調節具
１１０  土台部
６００、７００  ブラキャミソール
６０１、７０１  身頃
Ｔ  バージスラインの最下点に該当する位置
Ｓ  領域
Ｗ  パッドの前中心側下部
Ｘ  カップ部と肩ストラップの連結部
Ｙ  パッドと肩ストラップの連結部
Ｍ  連結部材（丸環）
Ｐ  ポケット
Ｑ  すきま
Ｖ  バスト
【図１】
2014009417.tif 000003
【図２】
2014009417.tif 000004
【図３】
2014009417.tif 000005
【図４】
2014009417.tif 000006
【図５】
2014009417.tif 000007
【図６】
2014009417.tif 000008
【図７】
2014009417.tif 000009
【図８】
2014009417.tif 000010
【図９】
2014009417.tif 000011